(57)【要約】【課題】利用価値を向上させた画像処理装置を提供する。【解決手段】表示画面１０に垂直な方向から見た場合（矢印Ｄの向きと反対向きに見た場合）には突起部３６Ａ，３６Ｂは表示部６から突出している。また軸Ａ２に沿った方向から見た場合にも突起部３６Ａ，３６Ｂは表示部６から突出している。表示部６が閉じられた状態から第１の軸Ａ１を中心に支持アームを回転させたときに突起部３６Ａ，３６Ｂは本体部４の上面３０に当接する。これにより表示部６の下部において、たとえば表示部６の表面が傷ついたり塗装がはがれたりするのを防ぐことができる。【選択図】図６
2007317014.tif 000002
【特許請求の範囲】
【請求項１】
画像処理を行なう本体部と、
前記本体部に一方端が結合され、前記一方端が結合される前記本体部の結合面に平行な第１の軸を中心に回転可能な支持アームと、
前記画像処理を行なった結果を表示する表示画面を有し、前記第１の軸に平行な第２の軸を中心に回転可能なように前記支持アームの他方端に結合される表示部とを備え、
前記結合面に対して前記支持アームが平行であり、かつ、前記支持アームに対して前記表示部が平行である場合に、前記表示部は、前記表示画面を前記結合面に向けた状態で閉じられ、
前記表示画面に垂直な方向から見た場合に前記表示部から突出するとともに、前記第２の軸に沿った方向から見た場合に、前記表示部から突出する少なくとも１つの突起部をさらに備え、
前記少なくとも１つの突起部は、前記表示部を閉じた状態で前記第１の軸側、かつ、前記本体部寄りに設けられる、画像処理装置。
【請求項２】
前記支持アームは、前記突起部が前記本体部に当接するように前記表示部を支持可能である、請求項１に記載の画像処理装置。
【請求項３】
前記本体部において前記突起部が当接する当接面は、
樹脂が埋め込まれ、前記少なくとも１つの突起部が当接する第１の領域と、
樹脂と異なる材質で構成され、前記少なくとも１つの突起部が当接しない部分である第２の領域とを含む、請求項２に記載の画像処理装置。
【請求項４】
前記表示部の筐体の外周部分を含む領域は、被膜に覆われる、請求項２に記載の画像処理装置。
【請求項５】
前記本体部において前記突起部が当接する当接面には、前記少なくとも１つの突起部を受ける溝が形成され、
前記溝の底部には、前記溝の伸びる方向に沿って並ぶ複数の凸部が設けられる、請求項２に記載の画像処理装置。
【請求項６】
各前記複数の凸部の輪郭は、曲線を含む、請求項５に記載の画像処理装置。
【請求項７】
前記当接面には、前記溝が形成された樹脂が埋め込まれる、請求項６に記載の画像処理装置。
【請求項８】
前記表示部は、タッチパネルである、請求項１に記載の画像処理装置。
【請求項９】
前記表示部は、前記本体部に着脱可能である、請求項１に記載の画像処理装置。
【請求項１０】
前記本体部には、入力装置としてポインティングデバイスが接続可能である、請求項１に記載の画像処理装置。
【発明の詳細な説明】
【技術分野】
【０００１】
本発明は画像処理装置に関し、特に、利用価値の向上を図ることが可能な画像処理装置に関する。
【背景技術】
【０００２】
ノート型のパーソナルコンピュータや開閉式のＰＤＡ（Personal Digital Assistants）や携帯電話など、形態が変化し得る電子機器装置が広く普及している。たとえば特開平６−１０２９７８号公報（特許文献１）は、液晶ディスプレイと入力装置とを一体化し、かつ、折り畳み可能な構造を有するデータ入出力装置を開示する。
【特許文献１】特開平６−１０２９７８号公報
【発明の開示】
【発明が解決しようとする課題】
【０００３】
上述のデータ入出力装置ではディスプレイを大きく開いて使用するほどデータ入出力装置の占有面積が大きくなる。また、ディスプレイにタッチパネルが用いられる場合には、たとえばユーザの指によってディスプレイが押さえ付けられるため、ディスプレイの傾きが変わりやすい。この場合にはユーザはディスプレイの傾きを元に戻さなければならないために製品の使い勝手が悪いと感じる。このような電子機器の設置時や使用時等に生じ得るユーザの不満に対する解決策は、特開平６−１０２９７８号公報（特許文献１）に開示されていない。
【０００４】
本発明の目的は、利用価値を向上させた画像処理装置を提供することである。
【課題を解決するための手段】
【０００５】
本発明は要約すれば、画像処理装置であって、画像処理を行なう本体部と、本体部に一方端が結合され、一方端が結合される本体部の結合面に平行な第１の軸を中心に回転可能な支持アームと、画像処理を行なった結果を表示する表示画面を有し、第１の軸に平行な第２の軸を中心に回転可能なように支持アームの他方端に結合される表示部とを備える。結合面に対して支持アームが平行であり、かつ、支持アームに対して表示部が平行である場合に、表示部は、表示画面を結合面に向けた状態で閉じられる。画像処理装置は表示画面に垂直な方向から見た場合に表示部から突出するとともに、第２の軸に沿った方向から見た場合に、表示部から突出する少なくとも１つの突起部をさらに備える。少なくとも１つの突起部は、表示部を閉じた状態で第１の軸側、かつ、本体部寄りに設けられる。
【０００６】
ここで「第１の軸側、かつ、本体部寄り」とは、表示部を閉じた状態から開いたときに表示画面の下部に対応する場所であり、表示部を開いたときに表示部より先に突起部が本体部に接触するように突起部が設けられる場所である。
【０００７】
より好ましくは、表示部は、表示画面に垂直方向に厚みを有する。少なくとも１つの突起部は、表示画面に垂直な側面に設けられる。表示画面に垂直な方向から見た場合に、少なくとも１つの突起部は、第２の軸よりも手前側に配置される。
【０００８】
好ましくは、支持アームは、突起部が本体部に当接するように表示部を支持可能である。
【０００９】
より好ましくは、本体部において突起部が当接する当接面は、樹脂が埋め込まれ、少なくとも１つの突起部が当接する第１の領域と、樹脂と異なる材質で構成され、少なくとも１つの突起部が当接しない部分である第２の領域とを含む。
【００１０】
より好ましくは、表示部の筐体の外周部分を含む領域は、被膜に覆われる。
好ましくは、本体部において突起部が当接する当接面には、少なくとも１つの突起部を受ける溝が形成される。溝の底部には、溝の伸びる方向に沿って並ぶ複数の凸部が設けられる。
【００１１】
より好ましくは、各複数の凸部の輪郭は、曲線を含む。
より好ましくは、当接面には、溝が形成された樹脂が埋め込まれる。
【００１２】
好ましくは、表示部は、タッチパネルである。
好ましくは、表示部は、本体部に着脱可能である。
【００１３】
好ましくは、本体部には、入力装置としてポインティングデバイスが接続可能である。
【発明の効果】
【００１４】
本発明によれば、画像処理装置の利用価値を向上できる。
【発明を実施するための最良の形態】
【００１５】
以下、本発明の実施の形態について図面を参照しながら詳細に説明する。なお、図中同一または相当部分には同一符号を付してその説明は繰返さない。
【００１６】
本実施の形態の画像処理装置は単体で使用できることができるとともに様々な装置に適用することができる。以下では本実施の形態の画像処理装置を適用した例の１つとして拡大観察装置を示す。拡大観察装置は、撮像素子で撮像した画像を拡大してディスプレイ上に表示させるもので、顕微鏡と異なり複数の人物が同時に観察可能である。また、電子データを利用できるためデータ保存が容易でデータの加工も容易等の利点がある。よって拡大観察装置が光学顕微鏡に代わり研究、開発、生産現場の品質管理等に用いられるようになってきている。
【００１７】
［実施の形態１］
図１は、実施の形態１の画像処理装置を備える拡大観察装置の全体構成図である。
【００１８】
図１を参照して、拡大観察装置１００は、画像処理装置１と、カメラ部２と、マウス８とを備える。
【００１９】
画像処理装置１は、本体部４と、支持アーム５と、表示部６とを含む。本体部４は各種の画像処理を行なう。「各種の画像処理」とは、たとえば画像の全体または一部の変形、画像の拡大または縮小、画像のコントラストや色の補正処理、等であるがこれらの処理に限定されるものではない。
【００２０】
支持アーム５はその一方端が本体部４の上面３０に結合され、本体部４の上面３０に平行な第１の軸Ａ１を中心に時計回りおよび反時計回りに回転可能である。なお支持アーム５の内部に本体部４と表示部６とを接続する信号ケーブル等が配設されてもよい。本体部４の上面３０は本発明における「本体部の結合面」に対応する。
【００２１】
表示部６は本体部４の上に設置される。表示部６は本体部４が行なう画像処理の結果を表示する表示画面１０を有する。具体的には表示部６は液晶ディスプレイである。表示部６を液晶ディスプレイにすることで、本体部４と一体的にコンパクトに収納することができる。より好ましくは、表示部６はタッチパネルである。ユーザは直接タッチパネルに触れたり専用の電子ペンを表示画面１０に触れさせたりすることで様々な指示を本体部４に与えることができるため、ユーザの操作が簡単になる。
【００２２】
後に詳細に説明するように、表示部６は支持アーム５の他方端に結合され、第１の軸Ａ１に平行な第２の軸Ａ２を中心に時計回りおよび反時計回りに回転可能である。支持アーム５の回転と表示部６の回転との組み合わせによって、ユーザは表示画面１０の傾きを任意に変えたり、表示画面１０を自身に近づけたりすることができる。
【００２３】
マウス８は、本体部４に対する指示をユーザが入力するために設けられる入力装置である。図示しないが本体部４にはマウス８を接続するためのコネクタが設けられている。なおマウス８以外のポインティングデバイス（たとえばトラックボール等）が本体部４に接続されてもよい。また表示部６がタッチパネルである場合には、マウス８は本体部４に接続されていてもよいし、接続されていなくてもよい。
【００２４】
本体部４の入力装置としてはマウス８に代えてキーボードを用いることもできる。しかしマウス８（あるいは他のポインティングデバイス）を本体部４に接続することによってキーボードを本体部４に接続するよりも拡大観察装置１００の全体の占有面積を小さくできる。またユーザが画像加工作業を行なう場合にはマウス８を用いたほうがキーボードを用いるよりも作業の能率を向上させることができる。
【００２５】
図２は、図１に示す拡大観察装置１００のブロック図である。
図２を参照して、拡大観察装置１００は、画像処理装置１と、カメラ部２と、マウス８とを備える。画像処理装置１は本体部４と表示部６とを備える。本体部４にはカメラ部２と、表示部６と、マウス８とが接続される。
【００２６】
カメラ部２は、ＣＣＤ（Charge Coupled Device）、ＣＭＯＳ（complementary metal-oxide semiconductor）センサ等の撮像素子を内蔵する撮像部１２と、撮像部１２と被観察ワークを置くステージとの距離を微調整する撮像制御部１４とを含む。撮像制御部１４は、カメラ部２を上下に移動させる送りねじを回転させるモータと、モータを駆動するモータドライバとを含む。
【００２７】
本体部４は、インターフェース部（Ｉ／Ｆ部）１６と、制御部（演算部）１８と、メモリ２０と、入出力制御部２２とを含む。インターフェース部１６は、カメラ部２の撮像部１２および撮像制御部１４と接続され、制御部（演算部）１８に撮像部１２からの画像データを送ったり、制御部（演算部）１８からのカメラ部を上下に微調整する指示を撮像制御部１４に送ったりする。メモリ２０は、撮像部１２で撮像された画像データをファイルとして保存しておく記憶装置であり、不揮発性メモリやハードディスクドライブ装置などを用いることができる。入出力制御部２２は、マウス８からの入力指示を制御部（演算部）１８に伝達すると共に、制御部（演算部）１８の制御の下に表示部６に表示される画像を変更する。
【００２８】
図３は、図１のカメラ部２の概観を示した図である。
図３を参照して、カメラ部２の撮像部１２は、鏡筒と、鏡筒上部に収容されている撮像素子と、鏡筒の撮像素子下部に収容されている対物レンズおよびズームレンズと、鏡筒下部に設けられた被観察ワークを照らすためのＬＥＤ等の照明装置とを有する。
【００２９】
撮像素子は、例えばＣＣＤ(charge coupled device)撮像素子やＣＭＯＳセンサであり、鏡筒の上端に設けられ、対物レンズおよび鏡筒を通じて拡大された被観察ワークの光学拡大像を撮像する。
【００３０】
鏡筒は、被観察ワークの光学拡大像を得るためのものであり、たとえば、ズーム式の組み合わせレンズを内部に収容している。ズームレンズは鏡筒側面に露出するリングを回すことにより倍率が変化する。対物レンズは、被観察ワークを光学的に拡大するために鏡筒の下端に設けられている。
【００３１】
撮像制御部１４は、被観察ワークを置くステージに固定されたスタンドにＺ軸方向の位置を粗く変更可能なようにねじ留めされている。鏡筒は、撮像制御部１４に内蔵されたＺ軸送り機構によって、Ｚ軸方向の所定範囲内の位置に微調整移動が可能となっている。Ｚ軸送り機構は、たとえば、電動モータと送りネジで構成され、送りネジが鏡筒に固定された固定部材に螺合され、この送りネジが電動モータによって回転駆動されることにより、撮像部１２がＺ軸方向の所定範囲内の指定位置に位置決めされる。これにより、鏡筒の焦点位置を被観察ワークに対して任意の高さに設定することができる。また、鏡筒先端の照明部から照射された光は、被観察ワークを上方から照らす。
【００３２】
次に、表示部６の傾き等を様々に変えた状態を示しながら画像処理装置１の特徴を説明する。
【００３３】
図４は、表示部６を閉じた状態における画像処理装置１を示す斜視図である。
図５は、図４に示す画像処理装置１の側面図である。
【００３４】
図４および図５を参照して、上面３０に対して支持アーム５が平行であり、かつ、支持アーム５に対して表示画面１０が平行である場合には表示部６は表示画面１０を下に向けて（図１に示す本体部４の上面３０に向けて）閉じられる。このときには第１の軸Ａ１を中心とした支持アーム５の回転角度が０度であり、かつ、第２の軸Ａ２を中心とした表示部６の回転角度が０度である。このように表示部６を閉じることによって、画像処理装置１の運搬時あるいは非使用時に表示画面１０が損傷するのを防ぐことができる。
【００３５】
図６は、支持アーム５のみを回転させて表示部６を開いた状態における画像処理装置１を示す斜視図である。
【００３６】
図７は、図６に示す画像処理装置１の側面図である。
図６および図７を参照して、支持アーム５を第１の軸Ａ１を中心に９０度回転させ、かつ、表示部６を回転させない場合には、表示部６は第１の軸Ａ１の上方に位置する。このときの表示画面１０は本体部４の上面３０に垂直である。
【００３７】
なお、表示部６の筐体の外周部分を含む領域６１は被膜に覆われている。ここで「被膜」とは、メッキ、塗装、蒸着等の処理（以下、「コーティング処理」と総称する）によって物体の表面に形成される膜状の物質を意味する。
【００３８】
支持アーム５の回転角度は０度から９０度までの間で可変である。本体部４の上面３０に対して表示画面１０の角度が９０度よりも大きくなるように支持アーム５を回転させることが可能である場合には表示部６を大きく開くことができる。しかしながら表示部６が後ろに倒れるために画像処理装置１の占有スペースが大きくなる。０度から９０度までの回転角度の範囲で支持アーム５を回転させることによって画像処理装置１に必要な設置面積の大きさは本体部４の上面３０の面積に実質的に等しくなる。よって画像処理装置１を設置した際に無駄なスペースが生じるのを防ぐことができる。
【００３９】
図６および図７に示すように、表示部６の一方端には突起部３６Ａ，３６Ｂが設けられる。突起部３６Ａ，３６Ｂの材質は樹脂、金属等である。なお突起部３６Ａ，３６Ｂは表示部６の筐体と一体成型されてもよい。
【００４０】
矢印Ｄの向きは表示画面１０に垂直である。図６から分かるように、表示画面１０に垂直な方向から見た場合（矢印Ｄの向きと反対向きに見た場合）には突起部３６Ａ，３６Ｂは表示部６から突出している。また、図７から分かるように、軸Ａ２に沿った方向から見た場合にも突起部３６Ｂは表示部６から突出している。なお軸Ａ２に沿った方向から見た場合には突起部３６Ｂは突起部３６Ａに重なるため、図７には突起部３６Ａは示されていないが軸Ａ２に沿った方向から見た場合に突起部３６Ａは表示部６から突出している。
【００４１】
ここで図５を参照しながら突起部３６Ｂについて説明する。表示部６を閉じた状態では、突起部３６Ｂは表示部６を閉じた状態で第１の軸Ａ１側、かつ、本体部４寄りに設けられる。なお図５では突起部３６Ａは突起部３６Ｂに重なるため示されていない。ただし、突起部３６Ａは側面Ａに設けられ、突起部３６Ｂに関する上述の説明は突起部３６Ａにも当てはまる。よって突起部３６Ａに関する説明は以後繰返さない。
【００４２】
再び図６および図７を参照しながら説明する。表示部６において突起部３６Ａ，３６Ｂが設けられる場所は、表示部６を閉じた状態から開いたときに表示画面１０の下部に対応する場所であり、表示部６を開いたときに表示部６より先に突起部３６Ａ，３６Ｂが本体部４に接触するように突起部が設けられる場所である。
【００４３】
支持アーム５は、突起部３６Ａ，３６Ｂが本体部４の上面３０に当接するように表示部６を保持できる。表示部６が閉じられた状態（図４および図５に示す画像処理装置１の状態）から第１の軸Ａ１を中心に支持アーム５を回転させたときに突起部３６Ａ，３６Ｂは本体部４の上面３０に当接する。これにより表示部６の下部において、たとえば表示部６の表面が傷ついたり塗装がはがれたりするのを防ぐことができる。なお本体部４の上面３０は本発明における「当接面」に対応する。
【００４４】
本体部４の上面３０には樹脂３１Ａ，３１Ｂが埋め込まれる。樹脂３１Ａの一部は接触部３２Ａとなり、樹脂３１Ｂの一部は接触部３２Ｂとなる。また樹脂３１Ａにはスライド溝３４Ａが形成される。同様に樹脂３１Ｂにはスライド溝３４Ｂが形成される。
【００４５】
接触部３２Ａ，３２Ｂは、表示部６が閉じられた状態から第１の軸Ａ１を中心に支持アーム５を回転させたときに突起部３６Ａ，３６Ｂが当接する部分である。この部分を樹脂で形成することによって突起部３６Ａ，３６Ｂの動きを滑らかにすることができる。
【００４６】
スライド溝３４Ａ，３４Ｂは突起部３６Ａ，３６Ｂをそれぞれ受ける。突起部３６Ａ，３６Ｂをスライド溝３４Ａ，３４Ｂに沿ってそれぞれ移動させることによって、表示画面１０を本体部４の上面３０に対してある角度になるよう設定することができる。
【００４７】
なお上面３０において樹脂３１Ａ，３１Ｂが埋め込まれた領域は本発明における「第１の領域」に対応する。また本体部４の上面３０において、樹脂３１Ａ，３１Ｂが埋め込まれた領域以外の領域は本発明における「第２の領域」に対応する。この領域はたとえば金属により構成される。
【００４８】
図８は、図６に示す接触部３２Ａ，３２Ｂおよびスライド溝３４Ａ，３４Ｂを詳細に示す図である。
【００４９】
図８および図６を参照して、樹脂３１Ａにおいてスライド溝３４Ａは接触部３２Ａから矢印Ｄの向きに延びる。樹脂３１Ｂにおいてスライド溝３４Ｂは接触部３２Ｂから矢印Ｄの向きに延びる。スライド溝３４Ａの底部には矢印Ｄの向きに沿って複数の凸部３３Ａが設けられる。スライド溝３４Ｂの底部には矢印Ｄの向きに沿って複数の凸部３３Ｂが設けられる。図８では複数の凸部３３Ａおよび複数の凸部３３Ｂの頂上付近の部分を示す。
【００５０】
図９は、図８のＩＸ−ＩＸに沿った接触部３２Ａおよびスライド溝３４Ａの断面図である。なお図８に示す接触部３２Ｂおよびスライド溝３４ＢにおいてＸＩ−ＸＩ線と同方向の断面は図９に示す断面と同様であり、樹脂３１Ａを樹脂３１Ｂに、接触部３２Ａを接触部３２Ｂに、スライド溝３４Ａをスライド溝３４Ｂにそれぞれ置き換えたものである。このため以下では接触部３２Ａおよびスライド溝３４Ａの断面についてのみ説明し、接触部３２Ｂおよびスライド溝３４Ｂの断面については以後の説明を繰返さない。
【００５１】
図９および図６を参照して、スライド溝３４Ａの底部には複数の凸部３３Ａが設けられる。スライド溝３４Ａの内部を突起部３６Ａが移動する場合には、各複数の凸部３３Ａによって突起部３６Ａの移動が阻止される。これにより本体部４の上面３０に対する表示画面１０の角度をある角度に固定することができる。
【００５２】
表示部６を第２の軸Ａ２を中心に回転させるため、表示部６と支持アーム５とはたとえばヒンジを介して結合される。回転時の抵抗が大きいヒンジを用いれば表示部６を回転させた際に支持アーム５に対する表示部６の角度を任意の角度に保持できるため、突起部３６Ａ，３６Ｂおよびスライド溝３４Ａ，３４Ｂは不要となる。しかしながらこの場合には表示部６が回転しにくいためにユーザは大きな力で表示部６を回転させなければならない。このためユーザが画像処理装置１の使用に際して不満を感じやすくなる。
【００５３】
スライド溝３４Ａは樹脂３１Ａに形成される。これによりスライド溝３４Ａの表面が滑らかになるよう加工することが可能になる。突起部３６Ａをスライド溝３４Ａに沿って動かす際の摩擦が小さくなるためユーザは楽に表示画面１０の傾きを変えることができる。
【００５４】
さらに、各複数の凸部３３Ａの輪郭は曲線を含む。仮に凸部３３Ａの輪郭がすべて直線で構成されている場合には、突起部３６Ａが凸部３３Ａの頂上から下りるときに、凸部３３Ａの斜面にぶつかることで大きな音が生じやすい。このような音はユーザを不快にさせる要因となる。各複数の凸部３３Ａの輪郭が曲線を含むことにより突起部３６Ａが滑らかに移動できるため大きな音が生じるのを防ぐことができる。
【００５５】
このように本実施の形態によれば、突起部３６Ａがスライド溝３４Ａを滑らかに移動することができることができるので、ユーザは楽に表示画面１０の傾きを変えることができる。また、表示画面１０の傾きを変える際に大きな音が生じないのでユーザを不快にさせることがなくなる。
【００５６】
なお、図９において各複数の凸部３３Ａの外形はいわば波のような形であるが、輪郭の少なくとも一部（特に頂上付近）が滑らかな曲線であれば各複数の凸部３３Ａの外形は特に限定されない。また、各複数の凸部３３Ａの間隔ａは一定でもよいし、たとえば接触部３２Ａから遠くなるほど徐々に大きくなってもよい。
【００５７】
次に本体部４の上面３０に接触部３２Ａ，３２Ｂを設ける理由をより詳細に説明する。
図１０は、図６に示す表示部６に突起部３６Ａ，３６Ｂが設けられていないときの問題点を説明する模式図である。
【００５８】
図１０を参照して、支持アーム５は、本体部４の上面３０に一方端が結合され、本体部４の上面３０に対して平行な第１の軸Ａ１を中心に回転可能である。一方、表示部６は第１の軸Ａ１に平行な第２の軸Ａ２を中心に回転可能なように支持アーム５の他方端に結合される。なお支持アーム５の他方端は表示部６の背面（表示画面１０と反対側の面）に結合される。
【００５９】
突起部３６Ａ，３６Ｂが表示部６に設けられていない場合には、支持アーム５が第１の軸Ａ１を中心に回転すると表示部６が本体部４の上面３０にぶつかる。なお表示部６は第１の軸Ａ２を中心に回転していてもよいし、図１０に示すように回転していなくてもよい。
【００６０】
一般的に多くの製品では美感をよくするため、製品の外表面に対してコーティング処理が施される。図１０に示す例では本体部４の上面３０および、表示部６の筐体は、被膜３７，３８によってそれぞれ覆われる。
【００６１】
よって、図１０において破線で示す範囲３９では被膜３７、あるいは被膜３８がはがれるおそれがある。被膜３７，３８がはがれて下地が見えた場合には、製品の美感が損ねられる。さらに何度も表示部６を閉じたり開いたりするうちに本体部４の上面３０あるいは表示部６の端部において被膜がはがれた部分の面積が次第に大きくなることがある。この場合には製品の美感が大きく損ねられる。
【００６２】
このような問題を防ぐための１つの方法として、たとえば表示部６のサイズを大幅に小さくする方法が考えられる。しかしながら、一般的にユーザにとって表示画面のサイズは大きい程好ましい。たとえば拡大観察装置においては表示画面１０が大きくなることで、同一の画像で比較すると実質的に拡大率が向上し、同一の拡大率で比較すると観察範囲が拡大する。このため表示部６のサイズを小さくする方法は現実的な解決方法ではない。
【００６３】
図１１は、図６に示す表示部６に突起部３６Ａ，３６Ｂを設けるとともに、本体部４の上面に接触部３２Ａ，３２Ｂを設けたときの利点を説明する図である。
【００６４】
図１１および図６を参照して、表示部６は側面６Ａを有する。表示部６は表示画面１０に垂直方向（矢印Ｄ１の方向）に厚みを有する。側面６Ａは表示画面１０に垂直な面である。側面６Ａには突起部３６Ａ，３６Ｂ（図１１では突起部３６Ｂのみ示す）が設けられる。
【００６５】
本体部４の上面３０には接触部３２Ａ，３２Ｂ（図１１では接触部３２Ｂのみ示す）が設けられる。支持アーム５は、本体部４の上面３０に一方端が結合され、本体部４の上面３０に対して平行な第１の軸Ａ１を中心に回転可能である。一方、表示部６は第１の軸Ａ１に平行な第２の軸Ａ２を中心に回転可能なように支持アーム５の他方端に結合される。なお支持アーム５の他方端は表示部６の背面（表示画面１０と反対側の面）に結合される。
【００６６】
第１の軸Ａ１を中心に支持アーム５を回転させた際に突起部３６Ａ，３６Ｂが本体部４の上面３０（特に接触部３２Ａ，３２Ｂ）に接触する。これにより、範囲３９に示す表示部６の端部では被膜３８がはがれるのを防ぐことができる。よって本実施の形態によれば製品の美感を保つことができる。
【００６７】
なお表示部６の側面６Ａにおいて、突起部３６Ａ，３６Ｂは表示画面１０から垂直方向に見た場合に第２の軸Ａ２よりも手前側に配置される。仮に表示画面１０から垂直方向に見た場合に第２の軸Ａ２よりも後ろに突起部３６Ｂ（３６Ａ）が設けられた場合には、表示部６を回転させると突起部３６Ｂ（３６Ａ）よりも先に、表示部６において表示画面１０側の端部が本体部４の上面３０にぶつかる。よって被膜３７，３８のいずれか一方がはがれる可能性がある。突起部３６Ａ，３６Ｂは表示画面１０から垂直方向に見た場合に第２の軸Ａ２よりも手前側に配置される。
【００６８】
図１１に示すように、表示部６の側面６Ａにおいて、突起部３６Ｂ（３６Ａ）を第２の軸Ａ２よりも表示画面１０側に配置することで、被膜３７，３８がはがれることを防ぐことができる。
【００６９】
さらに接触部３２Ａ，３２Ｂは、樹脂により形成される。これにより突起部３６Ａ，３６Ｂは、接触部３２Ａ，３２Ｂの表面をそれぞれ滑らかに動くことができる。なお、接触部３２Ａ，３２Ｂに表面が滑らかな金属板を用いることもできる。ただし接触部３２Ａ，３２Ｂを樹脂によって構成することにより、突起部と接触部とが擦れ合う際の音を小さくすることができるため好ましい。よって、ユーザが表示部６を開く際にユーザにとって耳障りな音が生じるのを防ぐことが可能になる。
【００７０】
図１２は、図６に示す状態から表示部６を矢印Ｄの方向に移動させたときの画像処理装置１を示す斜視図である。
【００７１】
図１３は、図１２に示す画像処理装置１の側面図である。
図１２および図１３を参照して、第１の軸Ａ１を中心に支持アーム５を回転させ、かつ、第２の軸Ａ２を中心に表示部６を回転させることによって、表示画面１０が本体部４の上面３０に垂直になるように表示部６の傾きを設定することができる。なお図１２および図１３に示す画像処理装置１の状態では、スライド溝３４Ａ，３４Ｂの内部に突起部３６Ａ，３６Ｂがそれぞれ入っている。この状態で矢印Ｄの向きに表示部６を移動させることによって表示部６をユーザに近づけることができる。
【００７２】
図１４は、図１０に示す位置よりもさらに矢印Ｄの向きに表示部６を移動させたときの画像処理装置１を示す斜視図である。
【００７３】
図１５は、図１４に示す画像処理装置１の側面図である。
図１６は、図１５に示す画像処理装置１を示す模式図である。
【００７４】
図１４〜図１６を参照して、第１の軸Ａ１を中心に支持アーム５を回転させ、かつ、第２の軸Ａ２を中心に表示部６を回転させることで、表示部６の突起部３６Ａ，３６Ｂはほぼ本体部４の前面４Ａの位置まで近づけられる。従来技術によれば表示部を大きく開くほどユーザと表示部との距離が遠くなるのに対し、本実施の形態では表示部６を大きく開きながらユーザに表示部６を近づけることができる。
【００７５】
図１４および図１５に示される本体部４の上面３０に対する表示画面１０の角度は、たとえばユーザが表示画面１０を見ながら所定の入力作業を行なう際に、目や肩等の負担が最も少なくなるように定められる。なお、表示部６がタッチパネルである場合には、上述の角度はたとえばユーザが画面に触れる際の動きができるだけ少なくなるように設定されてもよい。
【００７６】
特に図１６に示すように、突起部３６Ｂはスライド溝３４Ｂの内部の凸部３３Ｂによってその移動が阻止される。なお図１６には示されていないが、突起部３６Ａも同様にスライド溝３４Ａの内部の凸部（図９に示す凸部３３Ａ）によりその移動が阻止される。これにより表示部６がある角度を保ったまま動かないように固定される。よって、ユーザがある程度強い力で表示画面１０を押したとしても表示部６が移動したり表示画面１０の傾きが変わったりしないのでユーザは楽に入力作業を行なうことができる。
【００７７】
以上のように実施の形態１によれば、表示部６の一方端に突起部を設けることによって、画像処理装置の使用時にユーザが不満を感じやすい点を生じさせないため、画像処理装置の利用価値を高めることができる。
【００７８】
［実施の形態２］
図１７は、実施の形態２の画像処理装置の全体構成図である。
【００７９】
図１７を参照して、画像処理装置１Ａは、表示部６が本体部４に着脱可能なよう構成される。この点で画像処理装置１Ａは、実施の形態１の画像処理装置１と異なる。なお図示しないが表示部６と本体部４とはケーブルを介して接続される。画像処理装置１Ａの他の部分の構成は画像処理装置１の対応する部分の構成と同様であるので以後の説明は繰り返さない。
【００８０】
画像処理装置１Ａにおいて、表示部６はベース部４０に固定される。ベース部４０は本体部４にねじ留めされる。たとえばベース部４０は本体部４から取り外された表示部６を作業台等に設置するときの表示部６の支持部として用いられる。これによりユーザは本体部４から離れた作業場所に表示部６を設置することができる。
【００８１】
ベース部４０の表面には樹脂３１Ａ，３１Ｂが埋め込まれる。実施の形態１と同様に、実施の形態２においても突起部３６Ａ，３６Ｂはスライド溝３４Ａ，３４Ｂに沿ってそれぞれ移動する。よって実施の形態２によれば実施の形態１と同様にユーザの作業がしやすいように表示画面１０の傾きを変えることができる。
【００８２】
実施の形態２によれば表示部６を本体部４から取り外すことが可能になるので、たとえば液晶ディスプレイ等の表示装置が既に用意されている場合には、ユーザは本体部４のみを購入したり、所有者から借りたりすることができる。つまり画像処理装置１Ａはユーザの作業環境に応じた様々な使用形態を提供できる。よって実施の形態２によれば利用価値を向上することができる。
【００８３】
なお、突起部３６Ａ，３６Ｂの配置は以下の図１８に示す配置であってもよい。
図１８は、本実施の形態における突起部の配置の他の例を示す図である。
【００８４】
図１８を参照して、表示部６の側方から表示部６を見たときには表示画面１０の下方に位置する端部４２は丸みを帯びている。突起部３６Ｂは表示画面１０に垂直な方向から見た場合に第２の軸Ａ２によりも手前側に位置する。また、突起部３６Ｂは表示部６の側面６Ａにおける平坦な部分に位置する。
【００８５】
端部４２は丸みを帯びているため、表示部６を開いたときには端部４２における被膜のはがれを防止することができる。ただし、突起部３６Ｂ（３６Ａ）が設けられていないと表示部６を開いたときに表示部６の他の部分（たとえば側面６Ａにおいて端部４２以外の領域）を覆う被膜がはがれる可能性がある。突起部３６Ｂ（３６Ａ）を設けることによって側面６Ａにおいて被膜がはがれるのを防ぐことができる。
【００８６】
なお表示部６の側方から表示部６を見たときには突起部３６Ａは突起部３６Ｂと重なる。このため図１８には突起部３６Ａは示されていない。ただし、側面６Ａにおける突起部３６Ａの配置についても突起部３６Ｂの配置と同様である。
【００８７】
また、本実施の形態では突起部の数は２つであるとして説明したが、突起部は少なくとも１つあればよく、その数が特に限定されるものではない。
【００８８】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【図面の簡単な説明】
【００８９】
【図１】実施の形態１の画像処理装置を備える拡大観察装置の全体構成図である。
【図２】図１に示す拡大観察装置１００のブロック図である。
【図３】図１のカメラ部２の概観を示した図である。
【図４】表示部６を閉じた状態における画像処理装置１を示す斜視図である。
【図５】図４に示す画像処理装置１の側面図である。
【図６】支持アーム５のみを回転させて表示部６を開いた状態における画像処理装置１を示す斜視図である。
【図７】図６に示す画像処理装置１の側面図である。
【図８】図６に示す接触部３２Ａ，３２Ｂおよびスライド溝３４Ａ，３４Ｂを詳細に示す図である。
【図９】図８のＩＸ−ＩＸに沿った接触部３２Ａおよびスライド溝３４Ａの断面図である。
【図１０】図６に示す表示部６に突起部３６Ａ，３６Ｂが設けられていないときの問題点を説明する模式図である。
【図１１】図６に示す表示部６に突起部３６Ａ，３６Ｂを設けるとともに、本体部４の上面に接触部３２Ａ，３２Ｂを設けたときの利点を説明する図である。
【図１２】図６に示す状態から表示部６を矢印Ｄの方向に移動させたときの画像処理装置１を示す斜視図である。
【図１３】図１２に示す画像処理装置１の側面図である。
【図１４】図１０に示す位置よりもさらに矢印Ｄの向きに表示部６を移動させたときの画像処理装置１を示す斜視図である。
【図１５】図１４に示す画像処理装置１の側面図である。
【図１６】図１５に示す画像処理装置１を示す模式図である。
【図１７】実施の形態２の画像処理装置の全体構成図である。
【図１８】本実施の形態における突起部の配置の他の例を示す図である。
【符号の説明】
【００９０】
１，１Ａ  画像処理装置、２  カメラ部、４Ａ  前面、４  本体部、５  支持アーム、６Ａ  側面、６  表示部、８  マウス、１０  表示画面、１２  撮像部、１４  撮像制御部、１６  インターフェース部、２０  メモリ、２２  入出力制御部、３０  上面、３１Ａ，３１Ｂ  樹脂、３２Ａ，３２Ｂ  接触部、３３Ａ，３３Ｂ  凸部、３４Ａ，３４Ｂ  スライド溝、３６Ａ，３６Ｂ  突起部、３７，３８  被膜、３９  範囲、４０  ベース部、４２  端部、６１  領域、１００  拡大観察装置、Ａ１  第１の軸、Ａ２  第２の軸、Ｄ，Ｄ１  矢印。
【図１】
2007317014.tif 000003
【図２】
2007317014.tif 000004
【図３】
2007317014.tif 000005
【図４】
2007317014.tif 000006
【図５】
2007317014.tif 000007
【図６】
2007317014.tif 000008
【図７】
2007317014.tif 000009
【図８】
2007317014.tif 000010
【図９】
2007317014.tif 000011
【図１０】
2007317014.tif 000012
【図１１】
2007317014.tif 000013
【図１２】
2007317014.tif 000014
【図１３】
2007317014.tif 000015
【図１４】
2007317014.tif 000016
【図１５】
2007317014.tif 000017
【図１６】
2007317014.tif 000018
【図１７】
2007317014.tif 000019
【図１８】
2007317014.tif 000020